(57)【特許請求の範囲】
【請求項１】
光ディスクに所定のブロック単位でデータを記録再生する光ディスク装置であって、
前記光ディスクの記録品質を示す評価値が悪いほど前記各ブロックに含まれる前記データの量が少なくなるように前記データを分割し、前記各ブロックに含まれる前記データの量を示す値を含む副情報を付加して前記ブロック単位で記録データを生成する情報分割手段と、
前記記録データを第１の誤り訂正符号フォーマットで符号化する誤り訂正符号化回路と、
前記符号化された記録データを記録信号に変換して前記光ディスクに記録する記録手段と、
前記光ディスクに記録された前記記録信号を再生した結果に基づいて記録品質を示す前記評価値を生成する品質評価回路と、
を備える光ディスク装置。
【請求項２】
前記副情報は、前記各ブロックに含まれる前記データの量を示す値を含むコントロールデータと、前記コントロールデータを第２の誤り訂正符号フォーマットで誤り訂正するときの前記コントロールデータのための誤り訂正パリティコードとを備え、
前記第２の誤り訂正符号フォーマットの冗長度は、前記第１の誤り訂正符号フォーマットの冗長度よりも高いことを特徴とする請求項１記載の光ディスク装置。
【請求項３】
ユーザデータを記録する第１の領域と、前記ユーザデータとは異なる管理情報を記録する第２の領域を有する光ディスクに所定のブロック単位でデータを記録再生する光ディスク装置であって、
前記第１の領域では、第１のブロック単位でユーザデータを誤り訂正符号化し、前記第２の領域では、２のべき乗で除算した前記第１のブロック単位の長さに等しい長さを有し、かつ前記第１のブロック単位の冗長度よりも高い冗長度を有する第２のブロック単位で管理情報を誤り訂正符号化する誤り訂正符号化回路と、
前記誤り 訂正符号化されたユーザデータあるいは管理情報を記録信号に変換して光ディスクに記録する記録手段を備え、
前記記録手段は、前記管理情報に交替の状態を記録し、前記光ディスクにおいてトラックの欠陥が発見された後に更新することを特徴とする光ディスク装置。
【請求項４】
ユーザデータと管理情報が記録再生される光ディスクであって、
第１のブロック単位で誤り訂正符号化したユーザデータが記録再生される第１の領域と、
前記第１のブロック単位の長さより短い長さを有し、かつ前記第１のブロック単位の冗長度よりも高い冗長度を有する第２のブロック単位で誤り訂正符号化した管理情報が記録される第２の領域を備え、
前記管理情報は交替の状態を記録し、前記光ディスクにおいてトラックの欠陥が発見された後に更新され、
前記第２のブロック単位の長さは、２のべき乗で除算した前記第１のブロック単位の長さと等しいことを特徴とする光ディスク。
【発明の詳細な説明】
【技術分野】
【０００１】
本開示は、光ディスクにデータの記録再生を行う光ディスク装置、及び光学的にデータが記録される光ディスクに関する。
【背景技術】
【０００２】
現在、映像またはデータ等を保存する情報記録媒体として、ＤＶＤ、およびＢｌｕ−ｒａｙ（登録商標）ディスク（以下、ＢＤという。）等多くの種類の光ディスクが使用されている。データの保存時のスペース効率の観点から、光ディスクのコストを上げずに、体積当たりの記録容量を向上させる技術として、トラック密度を向上させる技術と、線密度を向上させる技術とがある。また、光ディスクにおいて、所定のブロック単位で誤り訂正を行うことが知られている（例えば、特許文献１参照。）。
【０００３】
光ディスクの記録容量向上のために記録密度の向上が図られているが、密度の向上にともなって再生したときのビット誤り数も増加してしまうため、誤り訂正能力を向上させた誤り訂正符号技術が提案されている。
【先行技術文献】
【特許文献】
【０００４】
【特許文献１】国際公開第２００４／００１２１９号公報
【発明の概要】
【発明が解決しようとする課題】
【０００５】
本開示は、高密度化した光ディスクに記録されたデータの安定な再生を可能にする光ディスク装置を提供する。
【課題を解決するための手段】
【０００６】
本開示にかかる光ディスク装置は、光ディスクに所定のブロック単位でデータを記録再生する光ディスク装置であって、光ディスクの記録品質を示す評価値が悪いほど前記各ブロックに含まれるデータの量が少なくなるようにデータを分割し、前記各ブロックに含まれるデータの量を示す値を含む副情報を付加してブロック単位の記録データを生成する情報分割手段と、記録データを第１の誤り訂正符号フォーマットで符号化する誤り訂正符号化手段と、符号化された記録データを記録信号に変換して光ディスクに記録する記録手段と、光ディスクに記録された記録信号を再生した結果に基づいて記録品質を示す評価値を生成する品質評価手段とを備える。
【発明の効果】
【０００７】
本開示にかかる光ディスク装置は、高密度化した光ディスクに記録されたデータの安定な再生が可能である。
【図面の簡単な説明】
【０００８】
【図１】実施の形態にかかる光ディスク装置１０の構成を示すブロック図である。
【図２】図１の光ディスク装置１０で用いる光ディスク１００の領域フォーマットの構成を示すフォーマット図である。
【図３】図１の誤り訂正符号化回路１０６によるデータブロック単位の符号化のときの標準フォーマットの構成を示すフォーマット図である。
【図４】図３の標準フォーマットに対応する記録フォーマットの構成を示すフォーマット図である。
【図５】図１の誤り訂正符号化回路１０６によるデータブロック単位の符号化のときの短縮フォーマットの構成を示すフォーマット図である。
【図６】図５の短縮フォーマットに対応する記録フォーマットの構成を示すフォーマット図である。
【図７】図３の標準フォーマットの記録データの内訳を示すフォーマット図である。
【発明を実施するための形態】
【０００９】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。
【００１０】
なお、添付図面及び以下の説明は、当業者が本開示を十分に理解するために提供されるのであって、これらにより特許請求の範囲に記載の主題を限定することは意図されていない。
【００１１】
（実施の形態）
［１．構成］
図１は、本実施の形態にかかる光ディスク装置１０の構成を示すブロック図である。図１に示すように、光ディスク装置１０は、光ヘッド１０１、スピンドルモータ１０２、サーボコントローラ１０３、レーザ駆動回路１０４、データ変調回路１０５、誤り訂正符号化回路１０６、再生信号復号回路１０７、データ復調回路１０８、誤り訂正復号回路１０９、信号品質評価回路１１０、アドレス再生回路１１１、フォーマット選択回路１１２、システムコントローラ１１５、インターフェース回路（以下、Ｉ／Ｆ回路という。）１１４及びＲＯＭ（Ｒｅａｄ  Ｏｎｌｙ  Ｍｅｍｏｒｙ）１１６を備える。
【００１２】
光ディスク装置１０は、光ディスク１００に対してユーザデータの記録及び再生を行う。光ディスク１００において、内周から外周にかけてらせん状にトラックが形成される。トラックは、グルーブにより形成されるグルーブトラックと、隣接するグルーブトラックの間に形成されるランドトラックとを含む。ユーザデータは、グルーブトラック及びランドトラックのいずれにも記録される。
【００１３】
スピンドルモータ１０２は、光ディスク１００を回転させる。光ヘッド１０１は、光ディスク１００に光ビームを照射することにより、光ディスク１００へのユーザデータの記録及び光ディスク１００からのユーザデータの再生を行う。
【００１４】
サーボコントローラ１０３は、光ヘッド１０１及びスピンドルモータ１０２を制御し、光ヘッド１０１から光ディスク１００に照射された光ビームを光ディスク１００上に設けられたトラックに集光して走査する制御、及び、目的のトラックにアクセスする移動制御を行う。サーボコントローラ１０３は、光ヘッド１０１が光ディスク１００を所定の線速度で走査するように、光ヘッド１０１の位置とスピンドルモータ１０２の回転数とを制御する。
【００１５】
Ｉ／Ｆ回路１１４は、光ディスク１００に記録するユーザデータをホスト装置１１３から受け取る。また、Ｉ／Ｆ回路１１４は、光ディスク１００から再生されたユーザデータをホスト装置１１３へ送る。
【００１６】
誤り訂正符号化回路１０６は、Ｉ／Ｆ回路１１４から受け取ったユーザデータに、誤り訂正するためのパリティを付加して符号化データとする。
【００１７】
データ変調回路１０５は、誤り訂正符号化回路１０６からのパリティを含む符号化データに従って、所定の変調則を用いて所定のパルス信号を変調することにより変調信号を生成する。この変調信号の符号化データが光ディスク１００上のトラックに記録される。
【００１８】
レーザ駆動回路１０４は、光ディスク１００上に正確にマークを形成するために変調信号を光パルスに変換し、変換された光パルスに従って光ヘッド１０１のレーザを駆動する。照射されたレーザの熱により、光ディスク１００上にマークが形成される。
【００１９】
一方、光ディスク１００上に記録されたユーザデータは、再生信号復号回路１０７、データ復調回路１０８、誤り訂正復号回路１０９によって再生される。
【００２０】
光ヘッド１０１は、光ディスク１００に光ビームを照射し、光ディスク１００からの反射光を検出する。光ヘッド１０１は検出した反射光に基づいて再生信号を再生して出力する。
【００２１】
再生信号復号回路１０７は、光ヘッド１０１が出力する再生信号を復号して復号信号を生成する。具体的には、再生信号と期待値波形との比較から、前記再生信号に最も近い期待値波形を選択し、期待値波形の元となる２値信号を復号信号として出力するＰＲＭＬ信号処理技術で実現される。符号間干渉の幅を所定幅よりも長くなるように設定した条件にすることで高線密度化に対応した再生性能を得ることができる。
【００２２】
データ復調回路１０８は、所定の変調則を用いて復号信号から符号化データを復調する。
【００２３】
誤り訂正復号回路１０９は、復調された符号化データにおける誤りを訂正し、ユーザデータを復元する。
【００２４】
信号品質評価回路１１０は、再生信号復号回路１０７による復号信号の復号結果に基づいて、再生信号の歪及び振幅のばらつき等の品質を測定する。ＰＲＭＬ信号処理技術に対応した信号品質評価技術として、ＭＬＳＥ（Ｍａｘｉｍｕｍ  Ｌｉｋｅｌｉｈｏｏｄ  Ｓｅｑｕｅｑｎｔｉａｌ  Ｅｒｒｏｒ）指標が用いられる。ＭＬＳＥ指標は、再生信号と期待値波形との誤差の大きさを定量的に評価する。ＭＬＳＥ指標により、光ディスク１００上のトラックに記録されているマークの記録状態を評価することができる。
【００２５】
アドレス再生回路１１１は、光ヘッド１０１で検出された光ディスク１００のトラックの蛇行に応じたウォブル信号からアドレス情報を再生して出力する。光ディスク１００のトラックは所定の周期で蛇行して形成されており、所定の周期が変調されることによりトラックの位置が分かるようにアドレス情報が含まれている。
【００２６】
フォーマット選択回路１１２は、光ディスク１００のトラックに記録する符号化データの誤り訂正フォーマットを選択する。選択された誤り訂正フォーマットに従って、誤り訂正符号化回路１０６及び誤り訂正復号回路１０９が動作する。
【００２７】
ＲＯＭ１１６は、フラッシュメモリで構成される。ＲＯＭ１１６は、システムコントローラ１１５が光ディスク装置１０全体を制御するためのプログラムをあらかじめ記憶する。
【００２８】
システムコントローラ１１５は、ＲＯＭ１１６に記憶されたプログラムを読み出して実行することにより、各回路の制御及びホスト装置１１３との通信の制御を行う。なお、図１においては、便宜上、システムコントローラ１１５からフォーマット選択回路１１２以外の構成要素に対する制御を示す矢印を省略している。本実施の形態にかかる光ディスク装置１０のシステムコントローラ１１５は、アドレス再生回路１１１が出力するアドレス情報から光ディスク１００上の領域を確定し、領域に応じた誤り訂正フォーマットで符号化データを記録するように、フォーマット選択回路１１２を制御する。また、信号品質評価回路１１０により評価されたマークの記録状態に基づいて光ディスク１００の劣化状態を判定し、誤り訂正フォーマットの単位ブロックに含める記録データの量を決定する。
【００２９】
図２は、図１の光ディスク装置１０で用いる光ディスク１００上の領域フォーマットの構成を示すフォーマット図である。図２において、光ディスク１００の内周側において、光ディスク１００のトラックの使用状況等を管理する管理情報等を記録するインナーゾーンが配置される。光ディスク１００の残りの領域において、ホスト装置１１３から送信されたユーザデータを記録するデータゾーンが配置される。光ディスク１００のデータゾーンでは符号化フォーマットとして標準フォーマットが用いられ、インナーゾーンでは短縮フォーマットが用いられる。システムコントローラ１１５は、フォーマット選択回路１１２に対して、記録対象の領域がデータゾーンであるかインナーゾーンであるかに応じて符号化フォーマットを切り替えるように制御する。
【００３０】
図３は、図１の誤り訂正符号化回路１０６によるデータブロック単位の符号化のときの標準フォーマットの構成を示すフォーマット図である。誤り訂正符号として、１０ビットを１シンボルとしたリードソロモン積符号を用いている。内符号は、記録データ２３２シンボルに対して、４シンボルの内符号パリティコードを付加する。１データブロック当たりの内符号の数は、９０６＋７６＝９８２となる。外符号は、記録データ９０６シンボルに対して、７６シンボルの外符号パリティコードを付加する。１データブロック当たりの外符号の数は、２３２＋４＝２３６となる。１つのデータブロックは、９０６×２３２＝２１０１９２シンボル、すなわち２１０１９２（シンボル）×１０（ビット）÷８（ビット）＝２６２７４０バイトの記録データを含む。ホスト装置１１３から送信されたユーザデータは、誤り訂正符号化回路１０６において、２０４８バイト毎に４バイトの誤り検出パリティコードが付加されて２０５２バイトとなる。この２０５２バイトが１２８組で２６２６５６バイトとなる。さらに、記録する位置を示すアドレス情報等のコントロールデータと、コントロールデータのための誤り訂正パリティコード（コントロールデータを誤り訂正するための誤り訂正パリティコード）とを付加した８４バイトを加え、合計２６２７４０バイトの記録データとなる。この２６２７４０バイトの記録データが、前述したリードソロモン積符号のフォーマットに従って符号化されて符号化データとなる。コントロールデータは副情報の一例であり、副情報はコントロールデータ及び、前記コントロールデータのための誤り訂正パリティコードを含む。
【００３１】
図４は、図３の標準フォーマットに対する、データ変調回路１０５によるデータブロック単位の変調信号の記録フォーマットの構成を示すフォーマット図である。図４において、図３に示すリードソロモン積符号フォーマットの内符号の１符号を１フレームとし、ＲＬＬ（Ｒｕｎ−Ｌｅｎｇｔｈ  Ｌｉｍｉｔｅｄ）（１，１０）変調則を用いて、誤り訂正符号化された符号化データが変調される。フレームの先頭において、変調則には含まれない１２Ｔを用いた同期パターンが付加される。ここで、Ｔは変調の基準周期である。さらに、変調信号の周波数特性に低域成分が含まれないように、マークとスペースの比率を均等にするＤＣ制御ビットが所定間隔で挿入され、１フレームの長さは３６４２Ｔとなる。フレームの数は、内符号の数と等しく、９８２フレームになる。データブロックの先頭において長さ５４６３Ｔのランイン（Ｒｕｎｉｎ）が付加され、終端において長さ１８２１Ｔのランアウト（Ｒｕｎｏｕｔ）が付加される。ランインは、再生信号復号回路１０７において、フレーム０の先頭から安定な信号処理ができるように、再生信号の振幅の制御等に用いられる領域である。ランアウトは、次に続くデータブロックを記録するときに、データブロック同士が重なってしまったり、隙間ができたりしないようにするための緩衝領域である。
【００３２】
図５は、図１の誤り訂正符号化回路１０６によるデータブロック単位の符号化のときの短縮フォーマットの構成を示すフォーマット図である。図５において、誤り訂正符号として、標準フォーマットと同じく、１０ビットを１シンボルとしたリードソロモン積符号を用いている。内符号は、記録データ２３２シンボルに対して、４シンボルの内符号パリティコードを付加する。１データブロック当たりの内符号の数は、４５＋７６＝１２１となる。外符号は、記録データ４５シンボルに対して、７６シンボルの外符号パリティコードを付加する。１データブロック当たりの外符号の数は、２３２＋４＝２３６となる。標準フォーマットにおける外符号は、記録データ９０６シンボルに対して外符号パリティコード７６シンボルであったのに対し、短縮フォーマットにおける外符号は、記録データ４５シンボルに対して外符号パリティコード７６シンボルとなっている。すなわち、短縮フォーマットにおいては、内符号は標準フォーマットと同じであるが、外符号の冗長度が標準フォーマットより高くなっている。このため、記録データは少ないものの、外符号の誤り訂正能力は非常に高くなっている。
【００３３】
１つのデータブロックは、２３２×４５＝１０４４０シンボル、すなわち１３０５０バイトの記録データを含む。インナーゾーンにおいては、システムコントローラ１１５が光ディスク１００のトラックの使用状況等を管理する管理情報等をＩ／Ｆ回路１１４を通して誤り訂正符号化回路１０６に送る。誤り訂正符号化回路１０６において、２０４８バイト毎に４バイトの誤り検出パリティコードが付加されて２０５２バイトとなる。この２０５２バイトが６組で１２３１２バイトとなる。さらに、記録する位置を示すアドレス情報等のコントロールデータと、コントロールデータのための誤り訂正パリティコードとを付加した７３８バイトを加え、合計１３０５０バイトの記録データとなる。この１３０５０バイトの記録データが、前述したリードソロモン積符号の短縮フォーマットに従って符号化されて符号化データとなる。
【００３４】
図６は、図５の短縮フォーマットに対する、データ変調回路１０５によるデータブロック単位の変調信号の記録フォーマットの構成を示すフォーマット図である。図６に示すように、図５に示すリードソロモン積符号の短縮フォーマットの内符号の１符号を１フレームとし、ＲＬＬ（１，１０）変調則を用いて、誤り訂正符号化された符号化データに従ってパルス信号を変調して変調信号を生成する。フレームの先頭において変調則には含まれない１２Ｔを用いた同期パターンが付加される。さらに、変調信号の周波数特性に低域成分が含まれないように、マークとスペースの比率を均等にするＤＣ制御ビットが所定間隔で挿入され、１フレームの長さは３６４２Ｔとなる。１フレームの構成は、標準フォーマットと同じである。フレームの数は、短縮フォーマットの内符号の数と等しく、１２１フレームになる。データブロックの先頭には長さ５４６３Ｔのランインが付加され、データブロックの終端には長さ１８２１Ｔのランアウトが付加される。
【００３５】
標準フォーマット及び短縮フォーマットにおいて、ランインとランアウトは共通であって、その長さは合計７２８４Ｔであり、２フレームの長さになる。したがって、標準フォーマットのデータブロックの長さは３６４２Ｔ×９８４フレームとなり、短縮フォーマットのデータブロックの長さは３６４２Ｔ×１２３フレームとなる。短縮フォーマットのデータブロックの長さは、標準フォーマットのデータブロックの長さの８分の１になる。図２に示すように、標準フォーマットの１データブロックに対してアドレス情報は０ｘ８０単位で付与され、短縮フォーマットの１データブロックに対して、アドレス情報は０ｘ１０単位で付与される。インナーゾーンの短縮フォーマットとデータゾーンの標準フォーマットとで、記録再生のデータブロックの長さが切り替わる。ここで、光ディスク１００のトラック上の物理的な位置とアドレス情報の関係は一定で維持されている。このため、インナーゾーンとデータゾーンとの境界をまたがった場合においても、システムコントローラ１１５は、特に処理条件の切替等行うことなく、アドレス再生回路１１１から得られるアドレス情報を用いて、光ディスク１００上の任意の位置のデータブロックにアクセスすることができる。
【００３６】
［２．動作］
次に、図１の光ディスク装置１０の動作について説明する。
【００３７】
まず、図１の光ディスク装置１０による光ディスク１００のデータゾーンのトラックへの記録動作について説明する。
【００３８】
図１において、Ｉ／Ｆ回路１１４は、ホスト装置１１３から送信されたユーザデータと記録先の論理アドレスとを取得する。ユーザデータは標準フォーマットに従った単位のデータブロックに分割され、データブロック毎に誤り訂正符号化回路１０６へと送られる。
【００３９】
誤り訂正符号化回路１０６は、データブロック単位のユーザデータに、再生時の誤りを訂正するためのパリティコードを付加して符号化データとする。
【００４０】
データ変調回路１０５は、パリティコードが付加された符号化データに従って、所定の変調則を用いてパルス信号を変調することで変調信号を生成する。
【００４１】
レーザ駆動回路１０４は、光ディスク１００上に正確に記録マークを形成するために、変調信号に従ってパルス信号をキャッスル型のパルス波形信号に変換し、レーザを駆動するための駆動信号を光ヘッド１０１へ出力する。
【００４２】
光ヘッド１０１は、記録先の論理アドレスに対応する光ディスク１００上の位置にレーザパルスを照射することで変調信号に対応したマークを記録する。
【００４３】
システムコントローラ１１５は、上記の記録動作を制御する。システムコントローラ１１５は、Ｉ／Ｆ回路１１４で取得された記録先の論理アドレスに基づいて、光ディスク１００上に記録する位置を決定し、サーボコントローラ１０３を制御して光ヘッド１０１を目的位置に移動させる。目的位置となるトラックに到達する前に、フォーマット選択回路１１２を介して標準フォーマットでの動作を指示し、誤り訂正符号化回路１０６を動作させる。データ変調回路１０５もフォーマット選択回路１１２からの指定にしたがって、標準フォーマットに対応した図４に示す記録フォーマットで変調信号を出力する。目標位置に到達したときにデータ変調回路１０５とレーザ駆動回路１０４とを動作させて記録を行う。
【００４４】
図７は、図３の標準フォーマットにおける符号化データの内容の一例を示すフォーマット図である。前述のとおり、記録データには最大で２６２１４４バイトのユーザデータが含まれる。ホスト装置１１３からＩ／Ｆ回路１１４を通して送信されたユーザデータが２６２１４４バイト未満の場合、図７に示すように、システムコントローラ１１５は、不足分について値がゼロである非有効データを付加する。すなわち、記録データは有効データと非有効データとを合計して２６２１４４バイトとなるようにする。コントロールデータには、アドレス情報の他に、記録データの中の有効データ量の値も含まれている。有効データの量と、非有効データの値がゼロであることが分かっていると、データブロックを再生するときに非有効データで発生している誤りシンボルに影響されず、有効データに対する誤り訂正能力を高めることができる。このことを具体的に以下に説明する。
【００４５】
有効データは、データブロックの先頭から前詰めで記録される。したがって、有効データの量が既知であれば、データブロック中のどの位置に有効データが記録され、どの位置に非有効データが記録されているかがわかる。非有効データはゼロであることがわかっているため、非有効データの位置に誤りが発生したとしてもパリティコードを使用して訂正する必要がない。したがって、パリティコードを実質的に有効データに対してのみ付加していることになる。つまり、有効データの量を少なくすることで、より少ないデータに対してパリティコードを付加できるため、誤り訂正能力を高めることができる。
【００４６】
ユーザデータの記録を行う前に、光ディスク１００上に既に記録されているトラックを再生するか、あるいは試し記録を行って再生をする。このとき、信号品質評価回路１１０でＭＬＳＥ指標を測定し、光ディスク１００に対する記録再生品質を評価する。ＭＬＳＥ指標が、あらかじめ決められた良好な品質の確保を示す状態であった場合には、１データブロックの記録データには最大となる２６２１４４バイトのユーザデータを有効データとして割り当てる。ＭＬＳＥ指標が、品質が劣化していることを示す状態であった場合には、劣化により増加する誤りに対応できるように、１データブロックの記録データに割り当てるユーザデータ量を少なくしてこれを有効データとし、残りを非有効データとする。より具体的には、システムコントローラ１１５は、ＭＬＳＥ指標が示す品質が低いほど、１データブロックに割り当てるユーザデータ量、すなわち有効データ量が少なくなるように設定する。これにあわせて、コントロールデータとして、前記少なくした有効データ量の値を記録する。
【００４７】
次に、図１の光ディスク装置１０の光ディスク１００のインナーゾーンのトラックへのデータの記録動作について説明する。
【００４８】
インナーゾーンには、データゾーンのトラックの使用状況や、傷等の欠陥があった場合に別のトラックに記録した交替状況等を管理する管理情報が記録される。管理情報は、データ量としては少ないものの、光ディスク１００に対してユーザデータの記録再生を行うために必須の情報である。したがって、高密度化された光ディスク１００においても、特に比較的高い再生性能を確保することが重要である。また、管理情報の更新は頻繁に発生する。したがって、管理情報の更新に伴う記録回数を多く確保できるように、インナーゾーンのデータブロックの長さは短い方が良い。これらの条件から、少ない記録データでデータブロックを小さくし、かつ誤り訂正符号のパリティはデータゾーンの標準フォーマットと同じ量を確保して冗長度を高くした図５に示す短縮フォーマットが適している。
【００４９】
インナーゾーンでは、システムコントローラ１１５が生成した管理情報が、Ｉ／Ｆ回路１１４を通して、誤り訂正符号化回路１０６へと送られる。
【００５０】
誤り訂正符号化回路１０６は、管理情報に再生時の誤りを訂正するためのパリティコードを付加して符号化データとする。
【００５１】
データ変調回路１０５は、パリティコードが付加された符号化データに従って、所定の変調則を用いてパルス信号を変調することで変調信号を生成する。
【００５２】
レーザ駆動回路１０４は、光ディスク１００上に正確に記録マークを形成するために、変調信号をもとにキャッスル型のパルス波形信号に変換し、レーザを駆動するための駆動信号を光ヘッド１０１へ出力する。
【００５３】
光ヘッド１０１は、管理情報を記録する光ディスク１００上の位置にレーザパルスを照射することで変調信号に対応したマークを記録する。
【００５４】
システムコントローラ１１５は、上記の記録動作を制御する。システムコントローラ１１５は、光ディスク１００上に管理情報を記録する位置を決定し、サーボコントローラ１０３を制御して光ヘッド１０１を目的位置に移動させる。目的位置となるトラックに到達する前に、フォーマット選択回路１１２を介して短縮フォーマットでの動作を指示し、誤り訂正符号化回路１０６を動作させる。データ変調回路１０５もフォーマット選択回路１１２からの指定にしたがって、短縮フォーマットに対応した図６に示す記録フォーマットで変調信号を出力する。目標位置に到達したときにデータ変調回路１０５とレーザ駆動回路１０４とを動作させて記録を行う。
【００５５】
次に、図１の光ディスク装置１０の再生動作について説明する。
【００５６】
光ディスク１００に対する再生位置の特定については、データゾーンとインナーゾーンのいずれにおいても、記録動作における記録位置の特定の動作と同様である。システムコントローラ１１５は、再生するデータブロックの位置となったときに、再生信号復号回路１０７と、データ復調回路１０８と、誤り訂正復号回路１０９と、フォーマット選択回路１１２とを動作させてユーザデータまたは管理情報の再生を行う。データゾーンでは、図３と図４に示す標準フォーマットにしたがって動作し、インナーゾーンでは図５と図６に示す短縮フォーマットにしたがって動作する。
【００５７】
再生信号復号回路１０７は、再生信号と期待値波形との比較から、前記再生信号に最も近い期待値波形を選択し、期待値波形の元となる２値化信号を復号信号として出力する。
【００５８】
データ復調回路１０８は、復号信号を所定の変調則を用いて符号化データを復調し、誤り訂正復号回路１０９は、復調された符号化データの誤りを訂正してユーザデータまたは管理情報を復元する。
【００５９】
データゾーンにおいては、誤り訂正復号回路１０９は、まず、コントロールデータに含まれる有効データ量の情報を読み取る。コントロールデータのための誤り訂正パリティコードを用いてコントロールデータに対して誤り訂正処理を行い、有効データ量の情報を取得する。有効データ量が２６２１４４バイト未満の場合、図７の例に示すように、非有効データに該当するシンボルの値をデータ復調回路１０８の出力結果に関係なくゼロとしてから、内符号と外符号の誤り訂正処理を開始する。これにより、非有効データに該当するシンボルの誤りはあらかじめ訂正され、有効データのシンボルの誤りに対して効果的に誤り訂正を行うことができる。
【００６０】
ここで、上述のとおり、誤り訂正能力を上げるためには、非有効データ（既知であるため誤り訂正不要）が分かっていなければならない。そのために、先に有効データの量を知る必要がある。有効データの量を含む副情報においても、再生時のシンボルエラーレートは他のデータ部分と同じである。したがって、まず副情報が正しく得られるようにするために、副情報のエラー訂正の能力を、より高くしておくことが望ましい。そのため、第２の誤り訂正符号フォーマットの冗長度を、第１の誤り訂正符号フォーマットの冗長度よりも高くする。
【００６１】
［３．効果等］
以上に示したように、本実施の形態によれば、光ディスク１００と光ディスク装置１０によれば、誤り訂正可能な範囲になるようにデータ量を制御することで、トラック密度や線密度を高密度化した光ディスク１００が劣化してもデータの安定な記録再生が可能となる。また、冗長度を高めた短縮フォーマットを用いることにより、光ディスク１００の記録再生に必須となる管理情報に対し、非常に高い再生性能を確保することが可能となる。
【産業上の利用可能性】
【００６２】
本開示は、データの記録再生を行う光ディスク及び光ディスク装置に適用可能である。
【符号の説明】
【００６３】
１０  光ディスク装置
１００  光ディスク
１０１  光ヘッド
１０２  スピンドルモータ
１０３  サーボコントローラ
１０４  レーザ駆動回路
１０５  データ変調回路
１０６  誤り訂正符号化回路
１０７  再生信号復号回路
１０８  データ復調回路
１０９  誤り訂正復号回路
１１０  信号品質評価回路
１１１  アドレス再生回路
１１２  フォーマット選択回路
１１３  ホスト装置
１１４  インターフェース回路（Ｉ／Ｆ回路）
１１５  システムコントローラ
１１６  ＲＯＭ
【図１】
0006778896.tif 000002
【図２】
0006778896.tif 000003
【図３】
0006778896.tif 000004
【図４】
0006778896.tif 000005
【図５】
0006778896.tif 000006
【図６】
0006778896.tif 000007
【図７】
0006778896.tif 000008